(57)【要約】【課題】端末装置からの操作によって任意のＶＬＡＮの生成と開放とを行うことが可能な音声会議システムを提供する。【解決手段】ＶＬＡＮ認識型スイッチ１〜３はＩＥＥＥ８０２．１Ｑで規定されるＶＬＡＮのタグのパラメータのＶＬＡＮ  ＩＤに着目し、フレームのフィルタリング等を行う。構内交換機４及びＩＰ電話機５〜７はＶＬＡＮ認識型スイッチ１〜３によって構成された仮想ブリッジ型ネットワーク上のＶＬＡＮ認識型エンドステーションである。ＶＬＡＮ認識型スイッチ１〜３と構内交換機４及びＩＰ電話機５〜７との間ではＧＶＲＰというプロトコルを用いて情報のやりとりを行う。構内交換機４はＶＬＡＮ  ＩＤを管理し、ＩＰ電話機５〜７は構内交換機４との間でＶＬＡＮ  ＩＤを含むＶＬＡＮ制御情報のやりとりを行い、ＩＰ電話機５〜７からの操作によって任意のＶＬＡＮの生成と開放とを行う。【選択図】      図１
2005012484.tif 000002
【特許請求の範囲】
【請求項１】
ＶＬＡＮ（Ｖｉｒｔｕａｌ  Ｌｏｃａｌ  Ａｒｅａ  Ｎｅｔｗｏｒｋ）のタグのパラメータであるＶＬＡＮ  ＩＤを使用して少なくともフレームのフィルタリングを行うＶＬＡＮ認識型スイッチと、前記ＶＬＡＮ認識型スイッチにて構成された仮想ブリッジ型ネットワーク上のＶＬＡＮ認識型エンドステーションでありかつ前記ＶＬＡＮ  ＩＤを管理する主装置と、前記ＶＬＡＮ認識型エンドステーションでありかつ前記ＶＬＡＮ  ＩＤを含むＶＬＡＮ制御情報のやりとりを行う端末装置とを有し、
前記主装置が前記端末装置から要求に基づいて音声会議のセッションの生成と当該セッションへの前記ＶＬＡＮ  ＩＤの割り当てとを行うことを特徴とする音声会議システム。
【請求項２】
前記主装置及び前記端末装置は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１Ｑ標準にて規定されるＶＬＡＮ機能を使用することを特徴とする請求項１記載の音声会議システム。
【請求項３】
前記音声会議のセッション毎に割り当てを行う任意のＶＬＡＮ  ＩＤを主記憶装置上に存在するテーブルへ登録する手段を前記主装置に含むことを特徴とする請求項１または請求項２記載の音声会議システム。
【請求項４】
前記主記憶装置は、未使用のＶＬＡＮ  ＩＤを保持するテーブルと、使用中のＶＬＡＮ  ＩＤを保持するテーブルと、設立している音声会議のセッション毎に参加している前記端末装置の情報を保持するテーブルと、使用中のＶＬＡＮ  ＩＤと前記設立している音声会議のセッションの情報とを関連付けるテーブルとを含むことを特徴とする請求項３記載の音声会議システム。
【請求項５】
前記端末装置は、外部指示に応答して前記音声会議のセッションの生成を前記主装置に対して要求する手段と、既に存在する音声会議のセッションへの参加を前記主装置に対して要求する手段と、前記音声会議のセッションから脱退を前記主装置に対して要求する手段と、それらの要求に対する前記主装置からの返信を受信する手段と、前記音声会議のセッションのために送信する音声メディアのフレームに対して前記主装置から受信したメッセージ中に含まれる任意のＶＬＡＮ  ＩＤを設定する手段と、同時に受信した音声メディアのミキシングを行う手段とを含むことを特徴とする請求項１から請求項４のいずれか記載の音声会議システム。
【請求項６】
前記主装置及び前記端末装置は、前記ＶＬＡＮ認識型スイッチとの間でＧＶＲＰ［ＧＡＲＰ（Ｇｅｎｅｒｉｃ  Ａｔｔｒｉｂｕｔｅ  Ｒｅｇｉｓｔｒａｔｉｏｎ  Ｐｒｏｔｏｃｏｌ）  ＶＬＡＮ  Ｒｅｇｉｓｔｒａｔｉｏｎ  Ｐｒｏｔｏｃｏｌ］にてメッセージを送受信することを特徴とする請求項１から請求項５のいずれか記載の音声会議システム。
【請求項７】
前記主装置は、構内交換機であり、
前記端末装置は、前記構内交換機に収容されるＩＰ（Ｉｎｔｅｒｎｅｔ  Ｐｒｏｔｏｃｏｌ）電話機であることを特徴とする請求項１から請求項６のいずれか記載の音声会議システム。
【請求項８】
前記ＩＰ電話機と前記構内交換機とによって構成されるＶｏＩＰ（Ｖｏｉｃｅ  ｏｖｅｒ  Ｉｎｔｅｒｎｅｔ  Ｐｒｏｔｏｃｏｌ）ネットワークであることを特徴とする請求項７記載の音声会議システム。
【請求項９】
前記ＩＰ電話機は、前記音声会議のセッション用の音声メディアをブロードキャスト送信にて送信することを特徴とする請求項７または請求項８記載の音声会議システム。
【発明の詳細な説明】
【０００１】
【発明の属する技術分野】
本発明は音声会議システムに関し、特に構内交換機に収容するＩＰ（Ｉｎｔｅｒｎｅｔ  Ｐｒｏｔｏｃｏｌ）電話機において実現される音声会議の実現方式に関する。
【０００２】
【従来の技術】
従来、ネットワークシステムとしては、端末装置の移動や追加時にＶＬＡＮ（Ｖｉｒｔｕａｌ  Ｌｏｃａｌ  Ａｒｅａ  Ｎｅｔｗｏｒｋ）の設定変更を自動的に行うシステムがある（例えば、特許文献１参照）。
【０００３】
このネットワークシステムでは、端末装置がスイッチに接続した際に送信するＥｔｈｅｒｎｅｔ（Ｒ）フレーム上の送信元ＭＡＣ（Ｍｅｄｉａ  ＡｃｃｅｓｓＣｏｎｔｒｏｌ）アドレスをキーとして、サーバに対して当該ＭＡＣアドレスに対応するＶＬＡＮを問い合わせ、その結果によってスイッチ内に保持されているスパニングツリーを更新する。
【０００４】
この方法によって、収容されているスイッチの変更を伴う、端末装置の物理的な移動において、ＶＬＡＮの設定を手動によって変更するのではなく、自動的な変更が可能となる。
【０００５】
また、他のネットワークシステムとしては、ユーザＩＤ（識別情報）にしたがってＶＬＡＮの設定変更を自動的に行うシステムがある（例えば、特許文献１参照）。
【０００６】
このネットワークシステムでは、端末装置を接続しているスイッチがその端末装置のユーザＩＤをネットワーク管理装置に通知し、ユーザＩＤ毎のＶＬＡＮ  ＩＤを管理している当該ネットワーク管理装置がその通知に対する応答としてＶＬＡＮ  ＩＤを返信することによって、スイッチにてＶＬＡＮの設定を行う。この方法によって、ユーザＩＤにしたがってＶＬＡＮの設定を手動で変更するのではなく、自動的な変更が可能となる。
【０００７】
通常、ＶｏＩＰ（Ｖｏｉｃｅ  ｏｖｅｒ  Ｉｎｔｅｒｎｅｔ  Ｐｒｏｔｏｃｏｌ）ネットワークにおいては、音声会議を実現するための方法として、ＭＣＵ（Ｍｕｌｔｉｐｏｉｎｔ  Ｃｏｎｔｒｏｌ  Ｕｎｉｔ：マルチポイントコントロールユニット）等と呼ばれる音声メディアのミキシングやシグナリングの集中処理を行う会議装置を設置したり、またはエンドユーザミキシング（二者通話のセッションに新しい参加者を加えた場合に現在のセッションのメンバの一人がそれまでのメンバと新しいメンバとから音声メディアを受信し、それをミキシングすること）等の方法がとられている。
【０００８】
【特許文献１】
特開２００１−５３７７６号公報（第６頁、図１）
【特許文献２】
特開２００２−１３５２８２号公報（第６〜８頁、図１）
【０００９】
【発明が解決しようとする課題】
上述した従来のネットワークシステムでは、上記の特許文献１，２に記載の技術の場合、ＶＬＡＮ  ＩＤを管理しているサーバないしネットワーク管理装置に対するＶＬＡＮ  ＩＤの問い合わせを行う装置がスイッチなので、端末装置がアクセスするＶＬＡＮの変更を行おうとした場合、端末装置からサーバないしネットワーク管理装置への問い合わせ及び返信手段が存在せず、端末装置からスイッチに対して端末装置が所属するＶＬＡＮを通知する手段が存在しないため、端末装置またはユーザが属するＶＬＡＮを変更することができない。
【００１０】
従来のネットワークシステムでは、端末装置の物理的な移動並びにユーザの物理的な移動による論理的な移動においても、当該端末装置もしくは当該ユーザが移動前にアクセスしていたＶＬＡＮへのアクセスを手動の設定変更を必要とせずに継続して行うことを許容している。
【００１１】
しかしながら、上記とは逆に、端末装置の物理的もしくは論理的な位置がそのままの位置でアクセス可能なＶＬＡＮを変更するには、依然として設定を手動で行う必要がある。つまり、従来のネットワークシステムでは、端末装置もしくはユーザの属するＶＬＡＮがあくまでも固定されているという問題がある。
【００１２】
また、特許文献１に記載のシステムの場合には、端末装置の属するＶＬＡＮがサーバないしネットワーク管理装置で特定できない場合に、端末装置に対して新たなＶＬＡＮ  ＩＤを付与している。
【００１３】
しかしながら、付与されたＶＬＡＮにはネットワーク上いかなるリソースも存在しないため、この端末装置に対してＶＬＡＮを設定する動作が意味をなさなくなる。そして、付与したＶＬＡＮ  ＩＤを変更するためには、結局、手動で設定を変更する必要があり、上記の問題を解決することはできない。
【００１４】
一方、従来のネットワークシステムでは、ＭＣＵを使用して音声会議を実現した場合、ＭＣＵが音声メディアのミキシングと、各端末装置に対する音声メディアの配信とを行うため、音声メディアのトラヒックがＭＣＵに集中し、ＭＣＵに障害が発生した場合に音声会議サービスを使用することができなくなるという問題がある。
【００１５】
また、従来のネットワークシステムでは、エンドユーザミキシングを行った場合、音声メディアのミキシング及び配信を行っているユーザが音声会議を抜けると、その役割を他のユーザに変えない限り、音声メディアのミキシング及び配信を行うことができなくなるため、ミキシングをしているメンバが最後まで会議に参加していれば問題ないが、途中で抜ける場合、会議そのものが中断され、メンバが増加した際にユーザの処理能力を超えてしまう可能性があるという問題がある。
【００１６】
そこで、本発明の目的は上記の問題点を解消し、端末装置からの操作によって任意のＶＬＡＮの生成と開放とを行うことができる音声会議システムを提供することにある。
【００１７】
【課題を解決するための手段】
本発明による音声会議システムは、ＶＬＡＮ（Ｖｉｒｔｕａｌ  Ｌｏｃａｌ  Ａｒｅａ  Ｎｅｔｗｏｒｋ）のタグのパラメータであるＶＬＡＮ  ＩＤを使用して少なくともフレームのフィルタリングを行うＶＬＡＮ認識型スイッチと、前記ＶＬＡＮ認識型スイッチにて構成された仮想ブリッジ型ネットワーク上のＶＬＡＮ認識型エンドステーションでありかつ前記ＶＬＡＮ  ＩＤを管理する主装置と、前記ＶＬＡＮ認識型エンドステーションでありかつ前記ＶＬＡＮ  ＩＤを含むＶＬＡＮ制御情報のやりとりを行う端末装置とを備え、
前記主装置が前記端末装置から要求に基づいて音声会議のセッションの生成と当該セッションへの前記ＶＬＡＮ  ＩＤの割り当てとを行っている。
【００１８】
すなわち、本発明の音声会議システムは、ＶＬＡＮ（Ｖｉｒｔｕａｌ  Ｌｏｃａｌ  Ａｒｅａ  Ｎｅｔｗｏｒｋ）のタグを使用したアプリケーションに関して、特に構内交換機に収容するＩＰ（Ｉｎｔｅｒｎｅｔ  Ｐｒｏｔｏｃｏｌ）電話機において実現される音声会議の実現方式のうち、ＩＰ電話機と構内交換機等の主装置とによって構成されたＶｏＩＰ（Ｖｏｉｃｅ  ｏｖｅｒ  Ｉｎｔｅｒｎｅｔ  Ｐｒｏｔｏｃｏｌ）ネットワークにおいて、ユーザの操作によって動的なＶＬＡＮの割り当てを行うことで、音声会議を実現する方式に関する。
【００１９】
本発明の音声会議システムでは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１Ｑ標準において規定されているＶＬＡＮ機能を使用する。
【００２０】
より具体的に説明すると、本発明の音声会議システムは、上記のＩＥＥＥ８０２．１Ｑ標準にて規定されるＶＬＡＮ認識型スイッチと、ＶＬＡＮ認識型スイッチに接続される構内交換機及びＩＰ電話機とから構成されている。
【００２１】
構内交換機は会議セッション毎に割り当てを行う任意のＶＬＡＮ  ＩＤを主記憶装置上に存在するテーブルへ登録する手段を備えている。主記憶装置上には未使用のＶＬＡＮ  ＩＤを保持するテーブルと、使用中のＶＬＡＮ  ＩＤを保持するテーブルと、設立している会議セッション毎に参加しているＩＰ電話機の情報を保持するテーブルと、使用中のＶＬＡＮ  ＩＤと設立している会議セッションの情報とを関連付けるテーブルとを有する。
【００２２】
このほかに、構内交換機はＩＰ電話機との間でメッセージを送受信する手段と、そのメッセージを使用して任意のＶＬＡＮ  ＩＤを含むＴＣＩ（Ｔａｇ  Ｃｏｎｔｒｏｌ  Ｉｎｆｏｒｍａｔｉｏｎ）フィールドの情報をＩＰ電話機へ通知する手段とを有し、また、ＧＶＲＰ［ＧＡＲＰ（Ｇｅｎｅｒｉｃ  Ａｔｔｒｉｂｕｔｅ  Ｒｅｇｉｓｔｒａｔｉｏｎ  Ｐｒｏｔｏｃｏｌ）  ＶＬＡＮ  Ｒｅｇｉｓｔｒａｔｉｏｎ  Ｐｒｏｔｏｃｏｌ］をサポートしているものとする。
【００２３】
ＩＰ電話機はユーザの操作によって会議セッションの生成を構内交換機に対して要求する手段と、既に存在する会議セッションへの参加を構内交換機に対して要求する手段と、会議セッションから脱退を構内交換機に対して要求する手段と、それらの要求に対する構内交換機からの返信を受信する手段と、会議セッションのために送信する音声メディアのフレームに対して構内交換機から受信したメッセージ中に含まれる任意のＶＬＡＮ  ＩＤを設定する手段と、同時に受信した音声メディアのミキシングを行うための手段とを有し（但し、自身の送信している音声メディアに関してはミキシングを行わない）、また、ＧＶＲＰをサポートしているものとする。
【００２４】
本発明の音声会議システムでは、ユーザの操作によって会議セッションの生成を行う場合、まずＩＰ電話機が構内交換機に対して会議セッションの生成を要求する。この要求を受信した構内交換機は、主記憶装置上に登録されている使用可能なＶＬＡＮ  ＩＤを保持しているテーブルから任意のＶＬＡＮ  ＩＤを使用中のＶＬＡＮ  ＩＤを保持するテーブルに移動させる。
【００２５】
次に、移動させたＶＬＡＮ  ＩＤとこれから設立しようとしている会議セッションとに対して関連付けを行うとともに、設立しようとしている会議セッションに対してリクエストを行ったＩＰ電話機とその通信相手のＩＰ電話機との関連付けを行い、主記憶装置上のテーブルに保存する。
【００２６】
構内交換機は上記の動作を行うと、設立しようとしている会議セッションに関連付けされたＶＬＡＮ  ＩＤを同じく関連付けされたＩＰ電話機に対して通知するとともに、該当するＶＬＡＮの生成をＧＶＲＰによってＶＬＡＮ識別型スイッチに対して送信する。ＩＰ電話機も同様に通知されたＶＬＡＮへの参加をＧＶＲＰによってＶＬＡＮ識別型スイッチに対して送信する。これ以降、ＩＰ電話機は対会議セッション向けに送信する音声メディアにＶＬＡＮ  ＩＤの付与を行う。
【００２７】
これによって、会議セッション用のブロードキャストドメインがＶＬＡＮ識別型スイッチによって構成され、ＩＰ電話機は会議セッション用の音声メディアを送信する際にブロードキャスト送信を行うことで、該当する会議セッションの参加者に対して音声メディアの送信を行うことが可能となる。また、受信する音声メディアは受信している各ＩＰ電話機によってミキシングされるため、会議セッションが成立する。
【００２８】
また、この時に送信されるブロードキャストは付与しているＶＬＡＮ  ＩＤにしたがって、ＶＬＡＮ認識型スイッチによってフィルタリングされるため、その会議セッションの参加者のみが受信し、非参加者が受信することはない。
【００２９】
ユーザの操作によって会議セッションの終了を行う場合、ＩＰ電話機は構内交換機に対して会議セッションからの脱退を要求する。この要求を受信した構内交換機は、要求してきたＩＰ電話機に対して会議セッションからの脱退要求を受信したことを返信する。
【００３０】
ＩＰ電話機は構内交換機からの返信を受信すると、ＶＬＡＮ識別型スイッチに対してＶＬＡＮからの脱退をＧＶＲＰによって送信し、同時に構内交換機に対してＶＬＡＮから脱退したことを通知する。
【００３１】
構内交換機はＩＰ電話機からの通知を受信すると、主記憶装置上の会議セッションに関連付けをされているＩＰ電話機を保持しているテーブルから脱退したＩＰ電話機を削除する。
【００３２】
上記の操作を繰り返し、会議セッションから最後のＩＰ電話機が脱退した際に、主記憶装置上の会議セッションに関連付けをされているＩＰ電話機を保持しているテーブルからＩＰ電話機が全て削除するため、構内交換機はＧＶＲＰによってＶＬＡＮ識別型スイッチに対して会議セッションの開放を送信し、主記憶装置上の会議セッションに関連付けされたＶＬＡＮ  ＩＤを使用中のテーブルから使用可能な未使用のテーブルへ移動し、該当する会議セッションに関連する全てのリソースを開放する。これによって、会議セッション用のブロードキャストドメインは開放される。
【００３３】
上述したように、本発明の音声会議システムでは、ＶＬＡＮ認識型スイッチによって構成された仮想ブリッジ型ネットワーク（ＶＬＡＮ認識型スイッチによって構成されているネットワーク）上のＶＬＡＮ認識型エンドステーション（フレームの送信元及び送信先となるデバイス）であるＩＰ電話機と構内交換機等の主装置とから構成されたＶｏＩＰネットワークにおいて、ユーザの操作によって動的なＶＬＡＮの割り当てを行うことで、ＭＣＵ（Ｍｕｌｔｉｐｏｉｎｔ  Ｃｏｎｔｒｏｌ  Ｕｎｉｔ：音声メディアのミキシングやシグナリングの集中処理を行う会議装置）を設置することなく、また、上記のエンドユーザミキシングの抱える問題を解決し、会議セッションを設立する手段が提供可能となる。
【００３４】
【発明の実施の形態】
次に、本発明の実施例について図面を参照して説明する。図１は本発明の一実施例による音声会議システムの構成を示すブロック図である。図１において、本発明の一実施例による音声会議システムはＶｏＩＰ（Ｖｏｉｃｅ  ｏｖｅｒ  Ｉｎｔｅｒｎｅｔ  Ｐｒｏｔｏｃｏｌ）ネットワークであり、ＶＬＡＮ（Ｖｉｒｔｕａｌ  Ｌｏｃａｌ  Ａｒｅａ  Ｎｅｔｗｏｒｋ）認識型スイッチ１〜３と、構内交換機等の主装置（以下、構内交換機とする）４と、ＩＰ（ＩｎｔｅｒｎｅｔＰｒｏｔｏｃｏｌ）電話機５〜７とから構成されている。
【００３５】
構内交換機４及びＩＰ電話機５〜７はＶＬＡＮ認識型スイッチ１〜３によって構成された仮想ブリッジ型ネットワーク上のＶＬＡＮ認識型エンドステーションである。
【００３６】
本発明の一実施例による音声会議システムでは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１Ｑ標準において規定されているＶＬＡＮ機能を使用する。
【００３７】
但し、ＩＥＥＥ８０２．１Ｑ標準はＶＬＡＮ認識型スイッチ１〜３の動作について規制したものであり、本来はＶＬＡＮ認識型エンドステーションに関しては規定していない。
【００３８】
しかしながら、ＶＬＡＮを使用するためにＶＬＡＮ認識型エンドステーションが行うべき動作の大部分はＩＥＥＥ８０２．１Ｑに準拠しているＶＬＡＮ認識型スイッチ１〜３の動作によって決定される。このため、本実施例において使用するＩＰ電話機５〜７と構内交換機４とに関しても、ＶＬＡＮ認識型スイッチ１〜３と同様に、ＩＥＥＥ８０２．１Ｑに準拠しているものとする。
【００３９】
ＩＥＥＥ８０２．１Ｑ標準ではＥｔｈｅｒｎｅｔ（Ｒ）フレームの送信元ＭＡＣ（Ｍｅｄｉａ  Ａｃｃｅｓｓ  Ｃｏｎｔｒｏｌ）アドレスと長さ／タイプフィールドとの間に４ｂｙｔｅのタグが定義されている。このタグはＴＣＩ（ＴａｇＣｏｎｔｒｏｌ  Ｉｎｆｏｒｍａｔｉｏｎ）フィールドとＴＰＩＤ（Ｔａｇ  Ｐｒｏｔｏｃｏｌ  Ｉｄｅｎｔｉｆｉｅｒ）フィールドとから構成され、ＴＣＩフィールドはＶＬＡＮ  ＩＤ、Ｕｓｅｒ  Ｐｒｉｏｒｉｔｙ、ＣＦＩ（Ｃａｎｏｎｉｃａｌ  Ｆｏｒｍａｔ  Ｉｎｄｉｃａｔｏｒ）フィールドによって構成されている。
【００４０】
ＶＬＡＮ認識型スイッチ１〜３は上述したＩＥＥＥ８０２．１Ｑで規定されるＶＬＡＮのタグのパラメータのＶＬＡＮ  ＩＤに着目し、フレームのフィルタリング等を行うが、ＶＬＡＮ認識型スイッチ１〜３の各ポートがどのＶＬＡＮに属しているかが判別できないと動作することができないため、ＶＬＡＮ識別型デバイス（スイッチとエンドステーションとを含む）間でＧＶＲＰ［ＧＡＲＰ（Ｇｅｎｅｒｉｃ  Ａｔｔｒｉｂｕｔｅ  Ｒｅｇｉｓｔｒａｔｉｏｎ  Ｐｒｏｔｏｃｏｌ）  ＶＬＡＮ  Ｒｅｇｉｓｔｒａｔｉｏｎ  Ｐｒｏｔｏｃｏｌ］というプロトコルを用いてこの情報のやりとりを行う。
【００４１】
図２は図１の構内交換機４の構成を示すブロック図である。図２において、構内交換機４はＣＰＵ（中央処理装置）４１と、主記憶装置４２と、補助記憶装置４８と、コンソール４９と、ネットワークインタフェースカード５０とを備えている。
【００４２】
ＣＰＵ４１は任意のＶＬＡＮタグの付与やフィルタリングを行うことができるデバイスドライバ等によって構成されたＶＬＡＮ認識機能部４１ｂと、これらの機能を制御するとともに、既存の内線相互接続等を制御するための構内交換機４の機能を含むプログラム部４１ａとから構成されている。
【００４３】
主記憶装置４２はＩＰアドレス−内線番号関連付けテーブル４３と、未使用ＶＬＡＮ  ＩＤ保持テーブル４４と、使用中ＶＬＡＮ  ＩＤ保持テーブル４５と、ＶＬＡＮ  ＩＤ−会議セッション関連付けテーブル４６と、会議セッション−ＩＰ電話機関連付けテーブル４７とを備えている。
【００４４】
ＩＰアドレス−内線番号関連付けテーブル４３はＶｏＩＰネットワークを構成しているＩＰ電話機５〜７のＩＰアドレスとＩＰ電話機５〜７に割り当てられた内線番号との関連付けを保持している。
【００４５】
未使用ＶＬＡＮ  ＩＤ保持テーブル４４は補助記憶装置４８から読出し、本実施例で使用することができる未使用ＶＬＡＮ  ＩＤを保持している。使用中ＶＬＡＮ  ＩＤ保持テーブル４５は本実施例で使用している使用中ＶＬＡＮ  ＩＤを保持している。
【００４６】
ＶＬＡＮ  ＩＤ−会議セッション関連付けテーブル４６は使用中ＶＬＡＮ  ＩＤに関連付けられた会議セッションの識別情報を保持している。会議セッション−ＩＰ電話機関連付けテーブル４７は本実施例で使用している会議セッションを管理するとともに、その会議セッションに参加しているＩＰ電話機５〜７の情報を保持している。
【００４７】
コンソール４９はユーザに対して本実施例において使用することができるＶＬＡＮ  ＩＤを主記憶装置４２及び補助記憶装置４８上に登録するための手段である。ネットワークインタフェースカード５０はＶＬＡＮ識別型スイッチ１〜３に接続可能となっている。
【００４８】
図３は図１のＩＰ電話機５〜７の構成を示すブロック図である。図３において、ＩＰ電話機５〜７はＣＰＵ６１と、主記憶装置６２と、コンソール６５と、音声入出力手段６６と、音声メディアのミキシング機能６７と、ネットワークインタフェースカード６８とから構成されている。
【００４９】
ＣＰＵ６１は任意のＶＬＡＮタグの付与やフィルタリングを行うことができるデバイスドライバ等によって構成されたＶＬＡＮ認識機能６１ｂと、音声メディアのミキシング機能６７及びそれらの機能を制御するとともに、既存の内線相互接続等を制御するためのＩＰ電話機５〜７の機能を含むプログラム部６１ａとを備えている。
【００５０】
主記憶装置６２はＩＰ電話機５〜７が接続する必要のある構内交換機４のＩＰアドレスを保持する構内交換機ＩＰアドレス保持テーブル６３と、構内交換機４から通知されかつ現在使用しているＶＬＡＮ  ＩＤと本実施例において実現される会議セッションとの関連付けを保持するＶＬＡＮ  ＩＤ−会議セッション保持テーブル６４とを備えている。
【００５１】
コンソール６５はユーザが会議セッションの生成や参加・脱退等操作を行うための手段である。ネットワークインタフェースカード６８はＶＬＡＮ識別型スイッチ１〜３に接続可能となっている。
【００５２】
図４は図１の構内交換機４とＩＰ電話機５〜７との間でＶＬＡＮ生成のためにやりとりされるメッセージのフォーマットを示す図である。図６においては、会議セッション生成要求メッセージＡ１、会議セッション参加指示メッセージＡ２、会議セッション脱退要求メッセージＡ３、会議セッション脱退指示メッセージＡ４、会議セッション脱退完了メッセージＡ５、応答メッセージＡ６とを示している。
【００５３】
構内交換機４とＩＰ電話機５〜７との間でやりとりされるメッセージはＩＰヘッダと、ＵＤＰ（Ｕｓｅｒ  Ｄａｔａｇｒａｍ  Ｐｒｏｔｏｃｏｌ）ヘッダと、データ部分とからなり、上記の各メッセージではデータ部分の内容が異なる。
【００５４】
すなわち、会議セッション生成要求メッセージＡ１のデータ部分はシーケンスＩＤと、長さと、メッセージ（＝０ｘ０００２）とからなる。会議セッション参加指示メッセージＡ２のデータ部分はシーケンスＩＤと、長さと、メッセージ（＝０ｘ０００３）と、オプション１（＝ＶＬＡＮ  ＩＤ）とからなる。
【００５５】
会議セッション脱退要求メッセージＡ３のデータ部分はシーケンスＩＤと、長さと、メッセージ（＝０ｘ０００４）とからなる。会議セッション脱退指示メッセージＡ４のデータ部分はシーケンスＩＤと、長さと、メッセージ（＝０ｘ０００５）とからなる。
【００５６】
会議セッション脱退完了メッセージＡ５のデータ部分はシーケンスＩＤと、長さと、メッセージ（＝０ｘ０００６）とからなる。応答メッセージＡ６のデータ部分はシーケンスＩＤと、長さと、メッセージ（＝０ｘ０００１）と、応答メッセージのシーケンスＩＤとからなる。
【００５７】
上記の各メッセージのシーケンスＩＤは応答メッセージＡ６がどのメッセージに対応しているかを判断するためのものであり、構内交換機４及びＩＰ電話機５〜７のプログラム部４１ａ，６１ａにおいて生成されるユニークなＩＤであればよい。
【００５８】
図５は図１のＩＰ電話機５〜７と構内交換機４とＶＬＡＮ認識型スイッチ１〜３との間でＶＬＡＮ生成及びＶＬＡＮ開放のためにやりとりされるＧＶＲＰのフォーマットを示す図である。
【００５９】
図５において、ＧＶＲＰは送信先アドレス（０１−８０−ｃ２−００−００−２１）、送信元アドレス、長さ、ＤＳＡＰ（Ｄｅｓｔｉｎａｔｉｏｎ  Ｓｅｒｖｉｃｅ  Ａｃｃｅｓｓ  Ｐｏｉｎｔ）（＝０ｘ４２）、ＬＬＣ（ＬｏｇｉｃａｌＬｉｎｋ  Ｃｏｎｔｒｏｌ）のＳＳＡＰ（Ｓｏｕｒｃｅ  Ｓｅｒｖｉｃｅ  Ａｃｃｅｓｓ  Ｐｏｉｎｔ）（＝０ｘ４２）、制御（＝０ｘ０３）、２ｂｙｔｅのプロトコルＩＤ（＝０ｘ０００１）、メッセージ、１ｂｙｔｅのエンドマーカ（＝０ｘ００）、４ｂｙｔｅのＦＣＳ（Ｆｒａｍｅ  Ｃｈｅｃｋ  Ｓｅｑｕｅｎｃｅ）とからなる。
【００６０】
上記のメッセージは１ｂｙｔｅのＶＬＡＮ識別子（＝０ｘ０１）、１ｂｙｔｅの属性の長さ、１ｂｙｔｅの属性イベント、２ｂｙｔｅのＶＬＡＮ  ＩＤ、エンドマーカ（＝０ｘ００）とからなる。
【００６１】
図６〜図１１は本発明の一実施例による音声会議システムの動作を示すシーケンスチャートである。図６〜図８は３台のＩＰ電話機５〜７のうちの二台が通話状態で、そこから新たに一台を召集して会議セッションを生成する処理の流れを示し、図９〜図１１は３台のＩＰ電話機５〜７によって構成された会議セッションを開放する処理の流れを示している。これら図１〜図１１を参照して本発明の一実施例による音声会議システムの動作について説明する。
【００６２】
本実施例では、構内交換機４に対してコンソール４９によって事前に使用可能なＶＬＡＮ  ＩＤをｎからｍまで登録済みとする（但し、１≦ｎ＜ｍ≦４０９５）。
【００６３】
また、構内交換機４の主記憶装置４２上において、制御を行うＩＰ電話機５〜７のＩＰアドレスと内線番号との関連付けを保持しているＩＰアドレス−内線番号関連付けテーブル４３にはＩＰ電話機５〜７の情報が登録済みとする。
【００６４】
さらに、構内交換機４の主記憶装置４２上において、使用可能な未使用ＶＬＡＮ  ＩＤを保持する未使用ＶＬＡＮ  ＩＤ保持テーブル４４に対してｎからｍまでが登録済みとする。
【００６５】
一方、構内交換機４の主記憶装置４２上において、使用中ＶＬＡＮ  ＩＤと使用中ＶＬＡＮ  ＩＤに関連付けられた会議セッションの識別情報とを保持しているＶＬＡＮ  ＩＤ−会議セッション関連付けテーブル４６には何も登録されていない。
【００６６】
また、構内交換機４の主記憶装置４２上において、会議セッションを管理するとともに、その会議セッションに参加しているＩＰ電話機５〜７の情報を保持している会議セッション−ＩＰ電話機関連付けテーブル４７には何も登録されていない。
【００６７】
さらにまた、構内交換機４の既存の機能を含むプログラム部４１ａでは、ＩＰ電話機５とＩＰ電話機６とが二者通話状態であり、ＩＰ電話機７が空き状態であることが認識されている。
【００６８】
同様に、ＩＰ電話機５はＩＰ電話機６と二者通話状態となっており、ＩＰ電話機５の主記憶装置６２上の構内交換機４のＩＰアドレスを保持する構内交換機ＩＰアドレス保持テーブル６３には構内交換機４のＩＰアドレスが保持されている。
【００６９】
また、ＩＰ電話機５の主記憶装置６２上の現在使用しているＶＬＡＮ  ＩＤと会議セッションの情報との関連付けを保持しているＶＬＡＮ  ＩＤ−会議セッション保持テーブル６４には何も登録されていない。さらに、ＩＰ電話機５の既存の機能を含むプログラム部６１ａでは、ＩＰ電話機６と二者通話状態であることが認識されている。
【００７０】
ＩＰ電話機６はＩＰ電話機５と二者通話状態となっており、ＩＰ電話機６の主記憶装置６２上の構内交換機４のＩＰアドレスを保持する構内交換機ＩＰアドレス保持テーブル６３には構内交換機４のＩＰアドレスが保持されている。
【００７１】
また、ＩＰ電話機６の主記憶装置６２上の現在使用しているＶＬＡＮ  ＩＤと会議セッションの情報との関連付けを保持しているＶＬＡＮ  ＩＤ−会議セッション保持テーブル６４には何も登録されていない。さらに、ＩＰ電話機６の既存の機能を含むプログラム部６１ａでは、ＩＰ電話機５と二者通話状態であることが認識されている。
【００７２】
ＩＰ電話機７は空き状態となっており、ＩＰ電話機７の主記憶装置６２上の構内交換機４のＩＰアドレスを保持するテーブル６３には構内交換機４のＩＰアドレスが保持されている。
【００７３】
ＩＰ電話機７の主記憶装置６２上の現在使用しているＶＬＡＮ  ＩＤと会議セッションの情報との関連付けを保持しているＶＬＡＮ  ＩＤ−会議セッション保持テーブル６４には何も登録されていない。さらに、ＩＰ電話機７の既存の機能を含むプログラム部６１ａでは、空き状態であることが認識されている。
【００７４】
上述した初期状態から、３台のＩＰ電話機５〜７のうちの二台が通話状態で、そこから新たに一台を召集して会議セッションを生成する処理の流れについて説明する。
【００７５】
ＩＰ電話機５では構内交換機４に対して会議セッションの生成を要求するためにコンソール６５の操作が行われると（図６のａ１）、構内交換機４に対して会議セッション生成要求メッセージＡ１を送信する（図６のａ２）。この時、コンソール６１の操作にはＩＰ電話機７の会議セッションへの召集操作を含むものとする。
【００７６】
構内交換機４は会議セッション生成要求メッセージＡ１を受信すると、そのメッセージを受信したことを通知するために応答メッセージＡ６をＩＰ電話機５へ送信する（図６のａ３）。構内交換機４はＩＰ電話機５がＩＰ電話機６と二者通話状態であること、ＩＰ電話機７を会議セッションへ召集することとを判断する（図６のａ４，ａ５）。構内交換機４はＩＰ電話機５が参加している会議セッションが存在しないことを既存の会議セッション−ＩＰ電話機関連付けテーブル４７から判定する（図６のａ６）。
【００７７】
構内交換機４は未使用ＶＬＡＮ  ＩＤ保持テーブル４４を読出し、新しく生成する会議セッションに割り当てることのできるＶＬＡＮ  ＩＤが存在するかの判定を行い、未使用ＶＬＡＮ  ＩＤ＝Ｎを使用中ＶＬＡＮ  ＩＤ保持テーブル４５へ移動する（図６のａ７）。
【００７８】
構内交換機４はＶＬＡＮ  ＩＤ−会議セッション関連付けテーブル４６と会議セッション−ＩＰ電話機関連付けテーブル４７とを新たに生成する（図６のａ８，ａ９）。構内交換機４は任意のＶＬＡＮタグの付与やフィルタリングを行うことができるデバイスドライバ等によって構成されたＶＬＡＮ認識機能４１ａに対してＶＬＡＮ  ＩＤ＝Ｎの登録を指示する（図６のａ１０）。
【００７９】
構内交換機４はネットワークインタフェースカード５０に接続されたＶＬＡＮ認識型スイッチ２に対して、送信元ＭＡＣアドレスに自身のＭＡＣアドレスを設定し、送信先ＭＡＣアドレスに「０ｘ０１−８０−ｃ２−００−００−２１」を設定し、属性タイプに「０ｘ０１」、属性イベントに「０ｘ０１」、属性値としてＶＬＡＮ  ＩＤ＝Ｎをそれぞれ設定し、ＧＶＲＰメッセージを送信する（図６のａ１１）。
【００８０】
構内交換機４は会議セッション参加指示メッセージＡ２をＩＰ電話機５へ送信する（図７のａ１２）。ＩＰ電話機５はＶＬＡＮ  ＩＤ−会議セッション保持テーブル６４に対して受信した会議セッション参加指示メッセージＡ２に含まれるＶＬＡＮ  ＩＤ＝Ｎを登録する（図７のａ１３）。
【００８１】
ＩＰ電話機５は任意のＶＬＡＮタグの付与やフィルタリングを行うことができるデバイスドライバ等によって構成されたＶＬＡＮ認識機能６１ｂに対して会議セッション参加指示メッセージＡ２に含まれるＶＬＡＮ  ＩＤ＝Ｎの登録を指示する（図７のａ１４）。
【００８２】
ＩＰ電話機５はネットワークインタフェースカード６８に接続されたＶＬＡＮ認識型スイッチ１に対して、送信元ＭＡＣアドレスに自身のＭＡＣアドレスを設定し、送信先ＭＡＣアドレスに「０ｘ０１−８０−ｃ２−００−００−２１」を設定し、属性タイプに「０ｘ０１」、属性イベントに「０ｘ０２」、属性値としてＶＬＡＮ  ＩＤ＝Ｎをそれぞれ設定し、ＧＶＲＰメッセージを送信する（図７のａ１５）。
【００８３】
ＩＰ電話機５のＶＬＡＮ認識機能６１ｂは会議セッションへ送信する音声メディアのＥｔｈｅｒｎｅｔ（Ｒ）フレームへＶＬＡＮタグ内にＶＬＡＮ  ＩＤ＝Ｎを設定し、またＶＬＡＮタグ内にＶＬＡＮ  ＩＤ＝Ｎが設定してあるＥｔｈｅｒｎｅｔ（Ｒ）フレームのみを会議セッションに対する音声メディアとして受信する（図７のａ１６）。
【００８４】
その後に、ＩＰ電話機５は会議セッション参加指示メッセージＡ２を受信したことを通知するために、応答メッセージＡ６を構内交換機４へ送信する（図７のａ１７）。
【００８５】
構内交換機４は会議セッション参加指示メッセージＡ２をＩＰ電話機６へ送信する（図７のａ１８）。ＩＰ電話機６はＶＬＡＮ  ＩＤ−会議セッション保持テーブル６４に対して受信した会議セッション参加指示メッセージＡ２に含まれるＶＬＡＮ  ＩＤ＝Ｎを登録する（図７のａ１９）。
【００８６】
ＩＰ電話機６は任意のＶＬＡＮタグの付与やフィルタリングを行うことができるデバイスドライバ等によって構成されたＶＬＡＮ認識機能６１ｂに対して会議セッション参加指示メッセージＡ２に含まれるＶＬＡＮ  ＩＤ＝Ｎの登録を指示する（図７のａ２０）。
【００８７】
ＩＰ電話機６はネットワークインタフェースカード６８に接続されたＶＬＡＮ認識型スイッチ１に対して送信元ＭＡＣアドレスに自身のＭＡＣアドレスを設定し、送信先ＭＡＣアドレスに「０ｘ０１−８０−ｃ２−００−００−２１」を設定し、属性タイプに「０ｘ０１」、属性イベントに「０ｘ０２」、属性値としてＶＬＡＮ  ＩＤ＝Ｎをそれぞれ設定し、ＧＶＲＰメッセージを送信する（図７のａ２１）。
【００８８】
ＩＰ電話機６のＶＬＡＮ認識機能６１ｂは会議セッションへ送信する音声メディアのＥｔｈｅｒｎｅｔ（Ｒ）フレームへＶＬＡＮタグ内にＶＬＡＮ  ＩＤ＝Ｎを設定し、またＶＬＡＮタグ内にＶＬＡＮ  ＩＤ＝Ｎが設定してあるＥｔｈｅｒｎｅｔ（Ｒ）フレームのみを会議セッションに対する音声メディアとして受信する（図７のａ２２）。
【００８９】
その後に、ＩＰ電話機６は会議セッション参加指示メッセージＡ２を受信したことを通知するために応答メッセージＡ６を構内交換機４へ送信する（図８のａ２３）。
【００９０】
構内交換機４はＩＰ電話機５とＩＰ電話機６とからの応答メッセージＡ６を受信すると、会議セッション−ＩＰ電話機関連付けテーブル４７にＩＰ電話機５とＩＰ電話機６とを示す情報を登録する（図８のａ２４）。
【００９１】
構内交換機４はＩＰ電話機７の呼出しを行うとともに、会議セッション参加指示メッセージＡ２をＩＰ電話機７へ送信する（図８のａ２５）。呼出されたＩＰ電話機７は構内交換機４からの呼出しに対して応答する（図８のａ２６）。ＩＰ電話機７はＶＬＡＮ  ＩＤ−会議セッション保持テーブル６４に対して受信した会議セッション参加指示メッセージＡ２に含まれるＶＬＡＮ  ＩＤ＝Ｎを登録する（図８のａ２７）。
【００９２】
ＩＰ電話機７は任意のＶＬＡＮタグの付与やフィルタリングを行うことができるデバイスドライバ等によって構成されたＶＬＡＮ認識機能６１ｂに対して会議セッション参加指示メッセージＡ２に含まれるＶＬＡＮ  ＩＤ＝Ｎの登録を指示する（図８のａ２８）。
【００９３】
ＩＰ電話機７はネットワークインタフェースカード６８に接続されたＶＬＡＮ認識型スイッチ３に対して、送信元ＭＡＣアドレスに自身のＭＡＣアドレスを設定し、送信先ＭＡＣアドレスに「０ｘ０１−８０−ｃ２−００−００−２１」を設定し、属性タイプに「０ｘ０１」、属性イベントに「０ｘ０２」、属性値としてＶＬＡＮ  ＩＤ＝Ｎをそれぞれ設定し、ＧＶＲＰメッセージを送信する（図８のａ２９）。
【００９４】
ＩＰ電話機７のＶＬＡＮ認識機能６１ｂは会議セッションへ送信する音声メディアのＥｔｈｅｒｎｅｔ（Ｒ）フレームへＶＬＡＮタグ内にＶＬＡＮ  ＩＤ＝Ｎを設定し、またＶＬＡＮタグ内にＶＬＡＮ  ＩＤ＝Ｎが設定してあるＥｔｈｅｒｎｅｔ（Ｒ）フレームのみを会議セッションに対する音声メディアとして受信する（図８のａ３０）。
【００９５】
その後に、ＩＰ電話機７は会議セッション参加指示メッセージＡ２を受信したことを通知するために応答メッセージＡ６を構内交換機４へ送信する（図８のａ３１）。構内交換機４はＩＰ電話機７からの応答メッセージＡ６を受信し、会議セッション−ＩＰ電話機関連付けテーブル４７にＩＰ電話機７の情報を登録する（図８のａ３２）。
【００９６】
これによって、会議セッション用のブロードキャストドメインはＶＬＡＮ識別型スイッチ１〜３によって構成される。これ以降、ＩＰ電話機５〜７は会議セッション用の音声メディアを送信する際にブロードキャスト送信を行うことで、該当する会議セッションの参加者に対して音声メディアの送信を行うことが可能となる。
【００９７】
また、ＩＰ電話機５〜７が受信する音声メディアは、受信している各ＩＰ電話機５〜７の音声メディアのミキシング機能６７によってミキシングされるため、会議セッションが成立する。
【００９８】
さらに、この時に送信されるブロードキャストは付与しているＶＬＡＮ  ＩＤにしたがって、ＶＬＡＮ認識型スイッチ１〜３によってフィルタリングされるため、該当する会議セッションの参加者のみで受信され、非参加者では受信されない。
【００９９】
次に、上述したようにして３台のＩＰ電話機５〜７によって構成された会議セッションを開放する処理の流れについて説明する。
【０１００】
この場合、ＩＰ電話機５は構内交換機４に対して会議セッション脱退要求メッセージＡ３を送信する（図９のｂ１）。構内交換機４は会議セッション脱退要求メッセージＡ３を受信したことを通知するために、応答メッセージＡ６をＩＰ電話機５へ送信する（図９のｂ２）。
【０１０１】
また、構内交換機４はＩＰ電話機５が参加している会議セッションが存在することを会議セッション−ＩＰ電話機関連付けテーブル４７から特定し、ＩＰ電話機５に対して会議セッション脱退指示メッセージＡ４を送信する（図９のｂ３）。
【０１０２】
ＩＰ電話機５はＶＬＡＮ  ＩＤ−会議セッション保持テーブル６４から参加している会議セッションに割り当てられたＶＬＡＮ  ＩＤ＝Ｎを読出す（図９のｂ４）。
【０１０３】
ＩＰ電話機５は会議セッション脱退指示メッセージＡ４を受信すると、ネットワークインタフェースカード６８に接続されたＶＬＡＮ認識型スイッチ１に対して送信元ＭＡＣアドレスに自身のＭＡＣアドレスを設定し、送信先ＭＡＣアドレスに「０ｘ０１−８０−ｃ２−００−００−２１」を設定し、属性タイプに「０ｘ０１」、属性イベントに「０ｘ０４」、属性値としてＶＬＡＮ  ＩＤ＝Ｎをそれぞれ設定し、ＧＶＲＰメッセージを送信する（図９のｂ５）。
【０１０４】
ＩＰ電話機５は会議セッションに対する音声メディアの送信及び受信を停止するとともに、任意のＶＬＡＮタグの付与やフィルタリングを行うことができるデバイスドライバ等によって構成されたＶＬＡＮ認識機能６１ｂに対してＶＬＡＮＩＤ＝Ｎの削除を指示する（図９のｂ６）。その後に、ＩＰ電話機５は会議セッションからの脱退が完了したことを通知するために会議セッション脱退完了メッセージＡ５を構内交換機４へ送信する（図９のｂ７）。
【０１０５】
構内交換機４は会議セッション脱退完了メッセージＡ５を受信すると、ＩＰ電話機５が参加している会議セッションが存在することを会議セッション−ＩＰ電話機関連付けテーブル４７から特定し、会議セッション−ＩＰ電話機関連付けテーブル４７からＩＰ電話機５の情報の削除を行う（図９のｂ８）。
【０１０６】
その後に、構内交換機４は会議セッション脱退完了メッセージＡ５を受信したことを通知するために、応答メッセージＡ６をＩＰ電話機５へ送信する（図９のｂ９）。
【０１０７】
ＩＰ電話機５は応答メッセージＡ６の受信によってＶＬＡＮ  ＩＤ−会議セッション保持テーブル６４を開放する（図９のｂ１０）。上記の動作によって、ＩＰ電話機５はＶＬＡＮ  ＩＤ＝Ｎが割り当てられた会議セッションから脱退を行ったこととなる。
【０１０８】
上記と同様の手順によってＩＰ電話機６が会議セッションから脱退し、最後にＩＰ電話機７が会議セッションから脱退した場合に、以下の動作によって設立していた会議セッションが開放される。
【０１０９】
ＩＰ電話機７は構内交換機４に対して会議セッション脱退要求メッセージＡ３を送信する（図１０のｂ１１）。構内交換機４は会議セッション脱退要求メッセージＡ３を受信したことを通知するために、応答メッセージＡ６をＩＰ電話機７へ送信する（図１０のｂ１２）。
【０１１０】
構内交換機４はＩＰ電話機７が参加している会議セッションが存在することを会議セッション−ＩＰ電話機関連付けテーブル４７から特定し、ＩＰ電話機７に対して会議セッション脱退指示メッセージＡ４を送信する（図１０のｂ１３）。
【０１１１】
ＩＰ電話機７はＶＬＡＮ  ＩＤ−会議セッション保持テーブル６４から参加している会議セッションに割り当てられたＶＬＡＮ  ＩＤ＝Ｎを読出す（図１０のｂ１４）。
【０１１２】
ＩＰ電話機７は会議セッション脱退指示メッセージＡ４を受信すると、ネットワークインタフェースカード６８に接続されたＶＬＡＮ認識型スイッチ３に対して、送信元ＭＡＣアドレスに自身のＭＡＣアドレスを設定し、送信先ＭＡＣアドレスに「０ｘ０１−８０−ｃ２−００−００−２１」を設定し、属性タイプに「０ｘ０１」、属性イベントに「０ｘ０４」、属性値としてＶＬＡＮ  ＩＤ＝Ｎをそれぞれ設定し、ＧＶＲＰメッセージを送信する（図１０のｂ１５）。
【０１１３】
ＩＰ電話機７は会議セッションに対する音声メディアの送信及び受信を停止するとともに、任意のＶＬＡＮタグの付与やフィルタリングを行うことができるデバイスドライバ等によって構成されたＶＬＡＮ認識機能６１ｂに対してＶＬＡＮＩＤ＝Ｎの削除を指示する（図１０のｂ１６）。その後に、ＩＰ電話機７は会議セッションからの脱退が完了したことを通知するために、会議セッション脱退完了メッセージＡ５を構内交換機４へ送信する（図１０のｂ１７）。
【０１１４】
構内交換機４は会議セッション脱退完了メッセージＡ５を受信すると、ＩＰ電話機７が参加している会議セッションが存在することを会議セッション−ＩＰ電話機関連付けテーブル４７から特定し、会議セッション−ＩＰ電話機関連付けテーブル４７からＩＰ電話機７の情報の削除を行う（図１０のｂ１８）。
【０１１５】
構内交換機４は会議セッション−ＩＰ電話機関連付けテーブル４７からＩＰ電話機７の情報を削除したことで、会議セッションに参加しているＩＰ電話機がいないことを判定し、会議セッション−ＩＰ電話機関連付けテーブル４７の開放を行う（図１０のｂ１９）。
【０１１６】
構内交換機４は開放した会議セッション−ＩＰ電話機関連付けテーブル４７に関連付けられているＶＬＡＮ  ＩＤをＶＬＡＮ  ＩＤ−会議セッション関連付けテーブル４６から検索し、ＶＬＡＮ  ＩＤ＝Ｎを一時的に保持し、ＶＬＡＮ  ＩＤ−会議セッション関連付けテーブル４６の開放を行う（図１０のｂ２０）。
【０１１７】
構内交換機４はネットワークインタフェースカード５０に接続されたＶＬＡＮ認識型スイッチ２に対して、送信元ＭＡＣアドレスに自身のＭＡＣアドレスを設定し、送信先ＭＡＣアドレスに「０ｘ０１−８０−ｃ２−００−００−２１」を設定し、属性タイプに「０ｘ０１」、属性イベントに「０ｘ０３」、属性値として一時的に保持しているＶＬＡＮ  ＩＤ＝Ｎをそれぞれ設定し、ＧＶＲＰメッセージを送信する（図１０のｂ２１）。
【０１１８】
構内交換機４は任意のＶＬＡＮタグの付与やフィルタリングを行うことができるデバイスドライバ等によって構成されたＶＬＡＮ認識機能４１ａに対してＶＬＡＮ  ＩＤ＝Ｎの削除を指示する（図１１のｂ２２）。
【０１１９】
構内交換機４は使用中ＶＬＡＮ  ＩＤ保持テーブル４５のＶＬＡＮ  ＩＤ＝Ｎを未使用ＶＬＡＮ  ＩＤ保持テーブル４４に移動し、ＶＬＡＮ  ＩＤ＝Ｎを開放する（図１１のｂ２３）。
【０１２０】
構内交換機４は会議セッション脱退完了メッセージＡ５を受信したことを通知するために、応答メッセージＡ６をＩＰ電話機７へ送信する（図１１のｂ２４）。ＩＰ電話機７は応答メッセージＡ６の受信によってＶＬＡＮ  ＩＤ−会議セッション保持テーブル６４を開放する（図１１のｂ２５）。
【０１２１】
上記の動作によって、ＩＰ電話機７及び構内交換機４はＶＬＡＮ  ＩＤ＝Ｎが割り当てられた会議セッションから脱退を行い、会議セッション用のブロードキャストドメインが開放されたこととなる。
【０１２２】
このように、本実施例では、ＶＬＡＮ  ＩＤを管理するためのサーバである構内交換機４とＶＬＡＮ  ＩＤを含むＶＬＡＮ制御情報のやりとりを行う装置が、ＶＬＡＮ認識型スイッチ１〜３ではなく、ＩＰ電話機５〜７（端末装置）であるため、ＩＰ電話機５〜７（端末装置）からの操作によって任意のＶＬＡＮの生成と開放とを行うことができる。
【０１２３】
尚、本実施例では、ＶＬＡＮの生成と開放とを構内交換機４が行っているが、会議セッションの生成を要求するＩＰ電話機５〜７に対してＶＬＡＮ  ＩＤを返信する際にあわせて生成を行う旨を通知し、この通知をトリガにＩＰ電話機５〜７からＶＬＡＮの生成をＶＬＡＮ認識型スイッチ１〜３に対して送信し、また会議セッションからの脱退を最後に要求したＩＰ電話機５〜７に対して返信を行う際に合わせて開放を行う旨を通知し、この通知をトリガにＩＰ電話機５〜７からＶＬＡＮの開放をＶＬＡＮ認識型スイッチ１〜３に対して送信を行うことも可能である。この場合には、ＶＬＡＮの生成と開放とを構内交換機４からＶＬＡＮ認識型スイッチ１〜３へ送信する必要がなくなる。
【０１２４】
また、本実施例では、構内交換機４がＶＬＡＮ  ＩＤを登録する際に、ＶＬＡＮ  ＩＤの範囲さえ、条件を満たすのであれば、任意の値を任意の順番で登録することも可能であり、連番で登録する必要は無い。
【０１２５】
さらに、本実施例では、３台のＩＰ電話機５〜７、３台のＶＬＡＮ認識型スイッチ１〜３を用いているが、これらは上記の台数に限らず、任意の台数を使用することが可能である。
【０１２６】
さらにまた、本実施例では、会議セッションに参加していないＩＰ電話機から会議セッションへの参加を要求することも可能であり、構内交換機４をＶＬＡＮＩＤを管理するサーバに置き換えることも可能であり、ＩＰ電話機５〜７をメディアストリームを扱うＶＬＡＮ認識型エンドステーションに置き換えることも可能である。
【０１２７】
【発明の効果】
以上説明したように本発明は、上記のような構成及び動作とすることで、端末装置からの操作によって任意のＶＬＡＮの生成と開放とを行うことができるという効果が得られる。
【図面の簡単な説明】
【図１】本発明の一実施例による音声会議システムの構成を示すブロック図である。
【図２】図１の構内交換機の構成を示すブロック図である。
【図３】図１のＩＰ電話機の構成を示すブロック図である。
【図４】図１の構内交換機とＩＰ電話機との間でＶＬＡＮ生成のためにやりとりされるメッセージのフォーマットを示す図である。
【図５】図１のＩＰ電話機と構内交換機とＶＬＡＮ認識型スイッチとの間でＶＬＡＮ生成及びＶＬＡＮ開放のためにやりとりされるＧＶＲＰのフォーマットを示す図である。
【図６】本発明の一実施例による音声会議システムの動作を示すシーケンスチャートである。
【図７】本発明の一実施例による音声会議システムの動作を示すシーケンスチャートである。
【図８】本発明の一実施例による音声会議システムの動作を示すシーケンスチャートである。
【図９】本発明の一実施例による音声会議システムの動作を示すシーケンスチャートである。
【図１０】本発明の一実施例による音声会議システムの動作を示すシーケンスチャートである。
【図１１】本発明の一実施例による音声会議システムの動作を示すシーケンスチャートである。
【符号の説明】
１〜３  ＶＬＡＮ認識型スイッチ
４  構内交換機
５〜７  ＩＰ電話機
４１，６１  ＣＰＵ
４１ａ，６１ａ  プログラム部
４１ｂ，６１ｂ  ＶＬＡＮ認識機能
４２，６２  主記憶装置
４３  ＩＰアドレス−内線番号関連付けテーブル
４４  未使用ＶＬＡＮ  ＩＤ保持テーブル
４５  使用中ＶＬＡＮ  ＩＤ保持テーブル
４６  ＶＬＡＮ  ＩＤ−会議セッション関連付けテーブル
４７  会議セッション−ＩＰ電話機関連付けテーブル
４８  補助記憶装置
４９，６５  コンソール
５０，６８  ネットワークインタフェースカード
６３  構内交換機ＩＰアドレス保持テーブル
６４  ＶＬＡＮ  ＩＤ−会議セッション保持テーブル
６６  音声入出力手段
６７  音声メディアのミキシング機能
Ａ１  会議セッション生成要求メッセージ
Ａ２  会議セッション参加指示メッセージ
Ａ３  会議セッション脱退要求メッセージ
Ａ４  会議セッション脱退指示メッセージ
Ａ５  会議セッション脱退完了メッセージ
Ａ６  応答メッセージ
【図１】
2005012484.tif 000003
【図２】
2005012484.tif 000004
【図３】
2005012484.tif 000005
【図４】
2005012484.tif 000006
【図５】
2005012484.tif 000007
【図６】
2005012484.tif 000008
【図７】
2005012484.tif 000009
【図８】
2005012484.tif 000010
【図９】
2005012484.tif 000011
【図１０】
2005012484.tif 000012
【図１１】
2005012484.tif 000013